(57)【特許請求の範囲】
【請求項１】
液晶表示パネルの背面から光を照射する複数のバックライトを有する液晶表示装置において、
前記複数のバックライトの各表示画面に対する光照射領域を記憶する記憶手段と、
前記表示画像のサイズと前記各バックライトの光照射領域サイズから、光照射領域内に画像を表示するように前記各バックライトの点灯箇所と画像の表示位置を決定する制御手段と、
を備え、
前記記憶手段は、前記各バックライトの点灯回数と点灯時間を記憶し、
前記制御手段は、点灯回数を点灯時間に換算し、該換算値を点灯時間に加えて総点灯時間とし、所定時間ごとに該総点灯時間が少ないバックライトを優先的に選択し、前記バックライトの光照射領域に前記画像の表示位置を変更することを特徴とする液晶表示装置。
【請求項２】
前記液晶表示パネルの温度を測定するセンサを備え、
前記制御手段は、前記液晶パネルの温度が第１の温度を超えた場合に、前記光照射領域サイズから、前記光照射領域内に画像を表示するように前記各バックライトの点灯箇所と画像の表示位置を決定することを特徴とする請求項１に記載の液晶表示装置。
【請求項３】
前記液晶表示パネルの温度を下げる冷却ファンを備え、
前記制御手段は、第２の温度を超えた場合に、前記冷却ファンを駆動することを特徴とする請求項２に記載の液晶表示装置。
【請求項４】
前記制御手段は、前記液晶表示パネルの温度が第３の温度以下の場合、前記冷却ファンを駆動せずに前記バックライトを全点灯とすることを特徴とする請求項３に記載の液晶表示装置。
【発明の詳細な説明】
【技術分野】
【０００１】
本発明は、表示領域に基づいてバックライトの点灯を制御することにより無駄な消費電力を抑える液晶表示装置に関する。
【背景技術】
【０００２】
近年、テレビ受信機やパーソナルコンピュータ等において、軽量、薄型化の要望が高まり、液晶表示装置のようなフラットパネル型ディスプレイが普及している。液晶表示パネルは、液晶層に電界を印加し、その電界強度に応じて液晶を透過する光量を調節することにより画像表示する。従って、液晶表示パネル自体は発光することがないため、表示画面の輝度を確保するにはバックライトを液晶表示パネルの背面に配置して、光を液晶表示パネルに照射する必要がある。
【０００３】
液晶表示パネルのバックライトには冷陰極管（ＣＣＦＴ：Cold Cathode Fluorescent Tube）や発光ダイオード（ＬＥＤ：Light Emitting Diode）が用いられている。ＣＣＦＴは、放電電極部に加熱のためのフィラメントを用いないタイプの蛍光ランプであり、フィラメントを用いる熱陰極管に比べ消費電力が低く、輝度は低いが管径を細くでき、寿命が長いという利点がある。また、ＬＥＤは２種類の半導体を接合した素子で、電流が流れると発光する。輝度に優れ、長寿命で消費電力が低い特徴がある。
【０００４】
近年のパネル大型化にともない、バックライトの量を増やす必要があり、消費電力の増加を招いていた。そこで、特許文献１のように、ラジオモードのように画像表示を必要としないときは、バックライトを消灯し、消費電力を低減する液晶表示装置が開示されている。
【特許文献１】特開平１−３０３７７号公報
【発明の開示】
【発明が解決しようとする課題】
【０００５】
しかしながら、映像を表示する必要のないラジオモードであっても、どのモードであるか、選択チャンネルは何であるかなどを表示する場合もある。消費電力を優先して一切表示しない仕様も考えられるが、その場合は使用状態が表示されないため、なぜ表示されていないのかユーザが分からない不都合があるからである。
【０００６】
一方、特許文献１の装置にあっては、表示画面の一部分にしか表示しない場合であっても、バックライト全部を点灯してしまうことになり、何ら表示されていない領域まで光が照射されて電力が無駄に消費されていた。また、表示部分のバックライトのみを点灯することも考えられるが、表示される部分が固定された領域に限られると、その部分のバックライトのみが使用されて劣化し、表示画面の輝度にばらつきが生じるおそれもある。
【０００７】
また、ラジオモードにおいては、音が主体となるため、バックライトによる熱を冷却するファンの音が耳障りとなる場合も考えられる。しかし、特許文献１の技術では、表示部分が一部でもあると全点灯するため、冷却ファンを回す必要があり、静音化に反することになってしまう。
【０００８】
本発明は、上記課題を鑑みて、表示されている領域のみにバックライトの光を照射することによって消費電力を低減するとともに、各バックライトの輝度の劣化を平均化することができる液晶表示装置を提供するものである。
また、本発明は、バックライトの点灯を制御することで熱の発生を抑えて冷却ファンの駆動を制限して静音化を図ることができる液晶表示装置を提供するものである。
【課題を解決するための手段】
【００１１】
本発明は、液晶表示パネルの背面から光を照射する複数のバックライトを有する液晶表示装置において、前記複数のバックライトの各表示画面に対する光照射領域を記憶する記憶手段と、前記表示画像のサイズと前記各バックライトの光照射領域サイズから、光照射領域内に画像を表示するように前記各バックライトの点灯箇所と画像の表示位置を決定する制御手段と、を備え、前記記憶手段は、前記各バックライトの点灯回数と点灯時間を記憶し、前記制御手段は、点灯回数を点灯時間に換算し、該換算値を点灯時間に加えて総点灯時間とし、所定時間ごとに該総点灯時間が少ないバックライトを優先的に選択し、前記バックライトの光照射領域に前記画像の表示位置を変更することを特徴とする。
【００１２】
また、本発明の液晶表示装置は、前記液晶表示パネルの温度を測定するセンサを備え、
前記制御手段は、前記液晶パネルの温度が第１の温度を超えた場合に、前記光照射領域サイズから、前記光照射領域内に画像を表示するように前記各バックライトの点灯箇所と画像の表示位置を決定することを特徴とする。
【００１３】
また、液晶表示パネルの温度を下げる冷却ファンを備え、前記制御手段は、第２の温度を超えた場合に、前記冷却ファンを駆動することを特徴とする。
【００１４】
また、前記制御手段は、液晶表示パネルの温度が第３の温度以下の場合、冷却ファンを駆動せずにバックライトを全点灯とすることを特徴とする。
【発明の効果】
【００１５】
本発明によれば、バックライトの一部を点灯し、その部分のみに画像を表示することにより、無駄な消費電力を抑えることができる。また、点灯時間や点灯回数に応じて劣化の少ないバックライトを所定時間ごとに選択するので、バックライトの劣化を平均化することができ、表示画面全体を表示した場合の輝度ムラを抑えることができる。
【００１６】
また、バックライトの一部しか点灯しないため、発熱を小さくできるので、温度上昇の程度によって冷却ファンの駆動を停止することもできる。そのため、冷却ファンの動作音を抑えることになり、静音性を高めることができるとともに、冷却ファンの消費電力を抑えることができる。さらに、第３の温度以下で低温の時は、冷却ファンを駆動せずにバックライトを全点灯として所定温度までは急速に温度を上昇させて、液晶表示パネルの応答特性等を一定にし、一定画質を確保できる。
【発明を実施するための最良の形態】
【００１７】
以下、本発明の実施の形態を添付図面を参照して説明する。
【００１８】
図１は、本発明に係る液晶表示装置である液晶テレビ受信機の一実施形態を示すブロック図である。
１はアンテナより受信されたテレビ放送波（ＲＦ信号）から指定チャンネルのビデオ信号を出力するチューナ、および外部入力端子より入力されたビデオ・音声信号を選択するＡＶ−ＳＷ（スイッチ）である。５はチューナ１で選択された映像信号に対して各種映像処理を行うための映像処理部、６は映像信号を表示処理できるよう変換したり液晶用各種コントロール信号を処理する液晶コントローラ、７は液晶コントローラ６から送られてくる信号を表示させるための処理を行う液晶ドライバ、８は視聴チャンネル等の各種情報をオンスクリーン表示するためのＯＳＤ処理部、９は映像を表示する液晶表示パネルである。
【００１９】
２はチューナ１で選択された音声信号に対して各種音声処理を行うための音声信号処理部、３は音声信号処理部２にて処理した音声信号をスピーカーにて音を発生するための音声アンプ、４はスピーカーである。
【００２０】
１４は液晶表示パネル９の裏面に配置された直下型のバックライト光源、１３はバックライト光源１４の消灯／点灯を駆動制御するための光源駆動部である。尚、バックライト光源１４は、直下型蛍光灯ランプの他、直下型又はサイド照射型のＬＥＤ光源など種々の光源を用いることが可能であり、各ランプ・ＬＥＤを独立して点灯・消灯可能できる。１５は液晶表示パネルの温度を測定する温度センサー、１６は冷却ファンおよびファン駆動部である。
【００２１】
１８は電源部、１７は電源部１８のオン／オフを駆動制御するための電源駆動部である。１９は各設定値や演算値を記憶しておくメモリである。また、１０は各種命令を指示入力するためのリモコン、１１はリモコン１０から射出された赤外線信号を受光するためのリモコン受光部、１２は各部の制御を行うマイコンである。特にマイコン１２は、リモコン受光部１１で受光したリモコン信号に基づいて、各構成部品の動作制御を行ったり、ＯＳＤ表示内容、表示場所、バックライト点灯箇所をコントロール、各ランプの点灯回数、時間をメモリ１９に記憶し、温度センサー１５の温度に基づきバックライトの点灯コントロールや、冷却ファンの制御を行う。
【００２２】
尚、本実施形態においては、指示入力手段として、リモコン１０を用いているが、装置本体に設けた操作部（図示せず）により、各種命令を指示入力するようにしても良いことは言うまでもない。
【００２３】
＜実施形態１＞
液晶テレビ受信機を利用して、地上や衛星のデジタル放送のラジオを聞く場合がある。
実施形態１は、液晶テレビ受信機をラジオモードで使用し、ユーザに、例えば、ラジオモードであることや設定チャンネルをＯＳＤ表示する場合を想定している。バックライトは蛍光管の場合とＬＥＤの場合で制御が異なるため、以下、個別に説明を行う。
【００２４】
（１）バックライトが蛍光管の場合
図２は、バックライトが蛍光管である液晶表示パネルの表示例を示す図である。
液晶表示パネル９は、アスペクト比１６：９の表示画面を有しており、その背面には４本の蛍光管１４ａ−１，１４ａ−２，１４ａ−３．１４ａ−４が水平に配置されている。従って、蛍光管１４ａ−１，１４ａ−２，１４ａ−３．１４ａ−４による光照射領域は、表示画面の垂直方向（縦側の辺）を水平に４等分するものである。１本の蛍光管で照射される光照射領域に、ＯＳＤ画像２１を表示する。
なお、図２では、ＯＳＤ画像に対応する蛍光管の点灯は１本であるが、複数本点灯させても構わない。
【００２５】
図３は、点灯する蛍光管を選択してＯＳＤ画像を表示するフローチャートであり、図４は、優先度の算出処理を示すフローチャートである。
【００２６】
まず、ユーザがリモコン１０を用いて、ラジオモードを選択する（ステップＳ１）。リモコン１０は、この指示信号を赤外線を通じてリモコン受光部１１に伝達し、リモコン受光部１１はこれを電気信号に変換してマイコン１２に伝える。マイコン１２は、該当するＯＳＤ画像をメモリ１９から選択する（ステップＳ２）。例えば「ラジオモード」という文字表示である。
【００２７】
次に、マイコン１２は、ＯＳＤ画像の点灯に必要な蛍光管の数を求める（ステップＳ３）。ＯＳＤ画像の縦幅と蛍光管の光照射領域の縦幅から点灯蛍光管の数が求まる。この場合のＯＳＤ画像を表示するときは、蛍光管が１本でよい。
【００２８】
さらにマイコン１２はメモリ１９から、バックライトである蛍光管１４ａ−１，１４ａ−２，１４ａ−３．１４ａ−４の点灯優先度を読み出し、優先度の高い蛍光管を選択する（ステップＳ４）。詳しくは後述するが、この優先度は、点灯回数と点灯時間に基づいて演算して求めたもので、以下の表１に示すデータがメモリ１９に記憶されている。
【００２９】
【表１】
0004703425.tif 000002
【００３０】
表１に示すように、蛍光管１４ａ−１が最も総点灯時間が短く優先度が高い（優先度４）ので、マイコン１２は蛍光管１４ａ−１を点灯する蛍光管として選択する。
【００３１】
蛍光管１４ａ−１の表示画面に対する光照射範囲はあらかじめメモリ１９に記憶されているので、マイコン１２は光照射範囲の位置データを読み出し、この範囲内にＯＳＤ画像が表示できるようにＯＳＤ画像の表示位置を決定する（ステップＳ５）。マイコン１２は、光源駆動部１３に蛍光管１４ａ−１を点灯させ、ＯＳＤ処理部８にＯＳＤ画像データと表示位置データを送ってＯＳＤ画像信号を生成させ、液晶コントローラ６と液晶ドライバ７を介して液晶表示パネル９に表示させる。こうして、図２（ａ）のように、ＯＳＤ画像が蛍光管１４ａ−１の点灯範囲に表示される。
【００３２】
マイコン１２は、蛍光管１４ａ−１の点灯回数を１つ増加させてメモリ１９に記憶するとともに、点灯時間をカウントしてメモリ１９に記憶する（ステップＳ７）。マイコン１２は、蛍光管１４ａ−１の点灯から所定時間、例えば７０分が経過したとき（ステップＳ８）、カウントしていた点灯回数と点灯時間に基づいて優先度を計算する（ステップＳ９）。
【００３３】
優先度の計算手法は図４に示す。メモリ１９より蛍光管１４ａ−１，１４ａ−２，１４ａ−３．１４ａ−４の点灯回数と点灯時間を読み出す（ステップＳ１１）。蛍光管１４−１は、点灯回数によっても輝度が劣化するため、これを点灯時間に換算して、点灯時間に加えて、総点灯時間を求める（ステップＳ１２）。この場合は、１回点灯すると、７０分点灯した場合と同じだけ劣化するとしている。こうして求めた総点灯時間の数値に基づいて、値の少ない順から１，２，３，４と優先度を設定する（ステップＳ１３）。こうして設定した値は、メモリ１９に記憶する。
【００３４】
なお、１回点灯すると、７０分点灯した場合と同じだけ劣化するとしたが、蛍光管により特性は異なるので、メモリ１９にあらかじめ蛍光管の種類により、１点灯あたりの換算時間を記憶しておき、取り付けた蛍光管の種類によって換算時間を簡単に設定できるようにしてもよい。また、点灯蛍光時間を見直すための所定時間を１点灯あたりの換算時間の７０分としたが、これに限定されるものではなく、任意に設定できる。
【００３５】
こうして、優先度が決まると、ステップＳ４に戻り、優先度の高い蛍光管を選択し直してＯＳＤ画像の表示位置を設定する。こうして、ステップＳ４〜Ｓ９の処理を繰り返す。
【００３６】
この方法だと、総点灯時間を求める計算が必要なので、高速化や省力化のため点灯時間のみで点灯場所の優先度を決めてもかまわない。
【００３７】
このように、ＯＳＤ画像の表示範囲を照らす蛍光管のみを点灯するので、消費電力を抑えることができる。また、点灯回数と点灯時間に基づいて、蛍光管の点灯を見直して、優先度の高い蛍光管を表示するので、蛍光管の輝度劣化を平均化して、全面点灯の場合に輝度ムラができないようにしている。
【００３８】
（２）バックライトがＬＥＤの場合
図５は、バックライトがＬＥＤである液晶表示パネルの表示例を示す図である。液晶表示パネル９は、アスペクト比１６：９の表示画面を有しており、その背面には４（列）×４（行）のＬＥＤ１４ｂ−１，１４ｂ−２，…，１４ｂ−１６が１６個配置されている。
【００３９】
図６は、点灯するＬＥＤを選択してＯＳＤ画像を表示するフローチャートであり、図７は、優先度の算出処理を示すフローチャートである。
【００４０】
まず、ユーザがリモコン１０を用いて、ラジオモードを選択する（ステップＳ２１）。リモコン１０は、この指示信号を赤外線を通じてリモコン受光部１１に伝達し、リモコン受光部１１はこれを電気信号に変換してマイコン１２に伝える。マイコン１２は、該当するＯＳＤ画像をメモリ１９から選択する（ステップＳ２２）。例えば、「ラジオモード」という文字表示である。
【００４１】
次に、マイコン１２は、ＯＳＤ画像の点灯に必要なＬＥＤの数と配置を求める（ステップＳ２３）。ＯＳＤ画像の縦×横のサイズと１個のＬＥＤの光照射領域（縦×横）のサイズから点灯すべきＬＥＤの配置と数が求まる。この場合のＯＳＤ画像を表示するときは、図５（ａ）に示すように、ＬＥＤ２×２の計４個を点灯することが必要である。
【００４２】
さらにマイコン１２はメモリ１９から、バックライトであるＬＥＤ１４ｂ−１，１４ｂ−２，…，１４ｂ−１６の点灯優先度を読み出し、優先度の高いＬＥＤを選択する（ステップＳ２４）。詳しくは後述するが、この優先度は、点灯時間に基づいたもので、以下の表２に示すデータがメモリ１９に記憶されている。上記蛍光管に比較し、点灯回数による輝度劣化は少ないので、点灯回数はカウントしていない。
【００４３】
【表２】
0004703425.tif 000003
【００４４】
表２に示すように、ＬＥＤ１４ｂ−１，１４ｂ−２，１４ｂ−５，１４ｂ−６の点灯時間が短く、優先度が高いＬＥＤのブロックである。
【００４５】
ＬＥＤの表示画面に対する光照射範囲はあらかじめメモリ１９に記憶されているので、マイコン１２はＬＥＤ１４ｂ−１，１４ｂ−２，１４ｂ−５，１４ｂ−６の光照射範囲の位置を特定し、この範囲内にＯＳＤ画像が表示できるようにＯＳＤ画像の表示位置を決定する（ステップＳ２５）。マイコン１２は、光源駆動部１３にＬＥＤ１４ｂ−１，１４ｂ−２，１４ｂ−５，１４ｂ−６を点灯させ、ＯＳＤ処理部８にＯＳＤ画像データと表示位置データを送ってＯＳＤ画像信号を生成させ、液晶コントローラ６と液晶ドライバ７を介して液晶表示パネル９に表示させる（ステップＳ２６）。こうして、図５（ａ）のように、ＯＳＤ画像が蛍光管１４ａ−１の点灯範囲に表示される。
【００４６】
また、ＯＳＤ画像の範囲が広く、図５（ｂ）に示すように、２（縦）×３（横）のＬＥＤブロックで光の照射が必要な場合もある。この場合は、表２から優先度の高いＬＥＤブロック、すなわちＬＥＤ１４ｂ−１，１４ｂ−２，１４ｂ−３，１４ｂ−５，１４ｂ−６，１４ｂ−７を選択して点灯させる。
このように、ＯＳＤ画像のサイズによってＬＥＤの数を任意に設定できる。従って、ＯＳＤ画像のサイズによっては、１個のＬＥＤの点灯でもよい場合もあり得る。
【００４７】
マイコン１２は、点灯されているＬＥＤの点灯時間をカウントしてメモリ１９に記憶する（ステップＳ２７）。マイコン１２は、ＬＥＤの点灯から所定時間、例えば７０分が経過したとき（ステップＳ２８）、カウントしていた点灯回数と点灯時間に基づいて優先度を計算する（ステップＳ２９）。
【００４８】
なお、点灯蛍光時間を見直すための所定時間を１点灯あたりの換算時間の７０分としたが、これに限定されるものではなく、任意に設定できる。
【００４９】
優先度の計算手法は図７に示す。メモリ１９よりＬＥＤ１４ｂ−１〜１４ｂ−１６の点灯時間を読み出す（ステップＳ３１）。こうして求めた点灯時間の数値に基づいて、値の少ない順から１，２，３，４と優先度を設定する（ステップＳ３２）。こうして設定した値は、メモリ１９に記憶する。
【００５０】
こうして、優先度が決まると、ステップＳ２２に戻り、優先度の高いＬＥＤを選択し直してＯＳＤ画像の表示位置を設定する。こうして、ステップＳ２４〜Ｓ２９の処理を繰り返す。
【００５１】
このように、ＯＳＤ画像の表示範囲を照らすＬＥＤのみを点灯するので、消費電力を抑えることができる。また、点灯回数と点灯時間に基づいて、ＬＥＤの点灯を見直して、優先度の高いＬＥＤを表示するので、ＬＥＤの輝度劣化を平均化して、全面点灯の場合に輝度ムラができないようにしている。しかも、ＬＥＤはブロック化できるため、点灯に無駄がなく、ＯＳＤ画像に合わせてバックライトの光の範囲の大きさを調整できるので、消費電力を抑えることができる。
【００５２】
＜実施形態２＞
液晶表示パネル９は、所定の温度範囲で使用した方が部品の破損もなく、また、液晶の応答性も安定する。一般にテレビモードの場合は、バックライト１４を全点灯すると、光とともに熱も発生するので、冷却ファン１６を駆動して最大定格温度以内になるよう制御している。
【００５３】
しかし、ラジオモードの場合は、音を主体とするため、冷却ファン１６をできるだけ駆動せず静音化を図ることが望ましい。ラジオモードの場合は、前述のようにＯＳＤ画像部分のみを照射するようにバックライトの一部点灯でよいため、温度上昇を抑えることができ、冷却ファンの駆動を常時行う必要がない。一方、ある温度以上を保つことにより、液晶の応答性を一定に保持できる。液晶の応答性は、ラジオモードではあまり重要な要素ではないが、テレビモードに切り替えた場合に、スポーツ中継等の動きのある動画の場合は、液晶の応答特性が重要となってくる。
【００５４】
そこで、以下に記載のように、温度によって、バックライトの点灯モードを制御することによって、液晶表示パネル９の温度を制御する。図８は、バックライトを制御して液晶表示パネルの温度を調整するフローチャートである。図９は、液晶表示画面と温度の制御を説明する図である。
【００５５】
まず、ユーザがリモコン１０を用いて、ラジオモードを選択する（ステップＳ４１）。リモコン１０は、この指示信号を赤外線を通じてリモコン受光部１１に伝達し、リモコン受光部１１はこれを電気信号に変換してマイコン１２に伝える。マイコン１２は、液晶表示パネル９の温度を測定する温度センサ１５の測定結果を得る（ステップＳ４２）。次にマイコン１２は、この液晶表示パネル９の温度が規定値１（６０℃）より高いか否かを判定する（ステップＳ４３）。この温度６０℃は、図９の（ａ）に示すように、最大定格温度であり、この温度を超えると液晶表示パネル９に支障を来たすおそれがある。そのため、液晶表示パネル９の温度が規定値１の６０℃を超える場合（ステップＳ４３：Ｙｅｓ）、マイコン１２は電源制御部１７に指示を出して装置本体の電源１８をオフにする（ステップＳ４４）。
【００５６】
液晶表示パネル９の温度が規定値１以下の場合（ステップＳ４３：Ｎｏ）、マイコン１２は、規定値２（５５℃）より高いか否かを判定する（ステップＳ４５）。液晶表示パネル９の温度が規定値２の５５℃を超える場合（ステップＳ４５：Ｙｅｓ）、図９の（ｂ）に示すように、マイコン１２は、前記実施形態１で述べたようなバックライト一部点灯を行い、さらにファン１６も回転する（ステップＳ４６）。
【００５７】
液晶表示パネル９の温度が規定値２以下の場合（ステップＳ４５：Ｎｏ）、マイコン１２は、規定値３（５０℃）より高いか否かを判定する（ステップＳ４７）。液晶表示パネル９の温度が規定値３の５０℃を超える場合（ステップＳ４７：Ｙｅｓ）、バックライト一部点灯＋ファン回転の動作を行っているかを判定する（ステップＳ４８）。バックライト一部点灯＋ファン回転の動作を行っている場合（ステップＳ４８：Ｙｅｓ）、図９の（ｃ）に示すように、そのまま動作を続ける。一部点灯＋ファン回転の動作を行っていない場合（ステップＳ４８：Ｎｏ）、図９の（ｄ）、（ｅ）に示すように、バックライトの一部点灯の動作を行う（ステップＳ４９）。
【００５８】
液晶表示パネル９の温度が規定値３以下の場合（ステップＳ４７：Ｎｏ）、マイコン１２は、規定値１（４７℃）より高いか否かを判定する（ステップＳ５０）。液晶表示パネル９の温度が規定値１の４７℃を超える場合（ステップＳ５０：Ｙｅｓ）、バックライト一部点灯＋ファン回転の動作を行っているかを判定する（ステップＳ５１）。バックライト一部点灯＋ファン回転の動作を行っている場合（ステップＳ５１：Ｙｅｓ）、図９の（ｅ）に示すように、バックライトの一部点灯の動作を行う（ステップＳ４９）。バックライト一部点灯＋ファン回転の動作を行っていない場合（ステップＳ５１：Ｎｏ）、バックライト一部点灯の動作を行っているかを判定する（ステップＳ５２）。バックライト一部点灯の動作を行っている場合（ステップＳ５２：Ｙｅｓ）、図９の（ｆ）に示すように、そのまま動作を続ける。
【００５９】
液晶表示パネル９の温度が規定値３１以下の場合（ステップＳ５０：Ｎｏ）、あるいはバックライト一部点灯の動作を行っていない場合（ステップＳ５２：Ｎｏ）、図９の（ｇ）、（ｈ）に示すように、バックライトを全点灯する（ステップＳ５３）。
【００６０】
こうして、ラジオモードにおいては、できる限り冷却ファン１６の駆動を行わないように、バックライトの一部点灯を行って液晶表示パネル９の温度上昇を抑えることにより、できる限り冷却ファンの駆動をしないようにして静音化を図ることができる。また、温度が低いときは、バックライトを全点灯して温度上昇を図り、液晶の応答速度を所定値に保って、テレビモードに変えても常に画質を維持できる。
【図面の簡単な説明】
【００６１】
【図１】本発明に係る液晶表示装置である液晶テレビ受信機の一実施形態を示すブロック図である。
【図２】バックライトが蛍光管である液晶表示パネルの表示例を示す図である。
【図３】点灯する蛍光管を選択してＯＳＤ画像を表示するフローチャートである。
【図４】優先度の算出処理を示すフローチャートである。
【図５】バックライトがＬＥＤである液晶表示パネルの表示例を示す図である。
【図６】点灯するＬＥＤを選択してＯＳＤ画像を表示するフローチャートである。
【図７】優先度の算出処理を示すフローチャートである。
【図８】バックライトを制御して液晶表示パネルの温度を調整するフローチャートである。
【図９】液晶表示画面と温度の制御を説明する図である。
【符号の説明】
【００６２】
１  チューナ
２  音声信号処理部
３  アンプ
４  スピーカ
６  液晶コントローラ
７  液晶ドライバ
８  ＯＳＤ処理部
９  液晶表示パネル
１０  リモコン
１１  リモコン受光部
１２  マイコン
１３  光源駆動部
１４  バックライト
１５  温度センサ
１６  冷却ファン
１７  電源制御部
１８  電源部
１９  メモリ
【図１】
0004703425.tif 000004
【図２】
0004703425.tif 000005
【図３】
0004703425.tif 000006
【図４】
0004703425.tif 000007
【図５】
0004703425.tif 000008
【図６】
0004703425.tif 000009
【図７】
0004703425.tif 000010
【図８】
0004703425.tif 000011
【図９】
0004703425.tif 000012